(57)【要約】【課題】  基体とカバー体とを係合させる構造の自由度を向上させることである。【解決手段】  カバー体が、回路領域カバー体４１０と、コネクタ領域カバー体４０８，４０９とに別体に設けられる。そして、回路領域カバー体４１０が、回路領域を覆う態様でボックス状主体３９０に対して固着されるとともに、コネクタ領域カバー体４０８，４０９が開口部穴４０８ａ，４０８ｂ，４０８ｄ，４０９ｅ〜４０９ｉからコネクタ３５１ａ，３５１ｂ，３５１ｄ，３５１ｅ〜３５１ｉを露出させ、かつ、コネクタ領域の配線パターンを覆う態様でボックス状主体３９０に対して固着される。【選択図】        図７
2005296267.tif 000002
【特許請求の範囲】
【請求項１】
遊技者が所定の遊技を行なうことが可能な遊技機であって、
配線を接続するためのコネクタが設けられたコネクタ領域、および、遊技機の動作に関わる制御を実行する制御回路が設けられた回路領域を有する制御基板と、
該制御基板を収容する基板収容体と、
一部を破壊しない限り固着状態を解除できない固着手段とを含み、
該基板収容体は、
基体と、
該基体に対して前記固着手段により固着されるカバー体とを含み、
該カバー体は、
前記回路領域を覆う態様で前記基体に対して前記固着手段により固着される回路領域カバー体と、
該回路領域カバー体とは別体で設けられ、前記コネクタを露出可能な開口部を有し、該開口部から前記コネクタを露出させ、かつ、前記コネクタ領域の配線パターンを覆う態様で前記基体に対して前記固着手段により固着されるコネクタ領域カバー体とを含むことを特徴とする、遊技機。
【請求項２】
前記回路領域カバー体と前記基体とのうち、いずれか一方には、互いに摺動可能な態様で係合するための摺動凸部を設け、他方には、前記摺動凸部と係合する摺動凹部を設けたことを特徴とする、請求項１に記載の遊技機。
【請求項３】
遊技機において基板収容体が取付けられる収容体取付部をさらに含み、
該収容体取付部は、前記基板収容体が取付けられた状態において前記回路領域カバー体に当接して当該回路領域カバー体の摺動を阻止する摺動阻止部を有することを特徴とする、請求項２に記載の遊技機。
【請求項４】
前記コネクタ領域カバー体は、前記回路領域カバー体を係止する係止部を有し、コネクタ領域カバー体の固着が解除されない限り係止部により前記回路領域カバー体の位置を規制することを特徴とする、請求項２または３に記載の遊技機。
【請求項５】
前記コネクタ領域カバー体および前記回路領域カバー体のそれぞれ一部をオーバーラップさせ、コネクタ領域カバー体と回路領域カバー体との隙間を封止するカバー体間封止部をさらに含むことを特徴とする、請求項１から４のいずれかに記載の遊技機。
【請求項６】
前記コネクタ領域カバー体および前記基体のそれぞれ一部をオーバーラップさせ、コネクタ領域カバー体と基体との隙間を封止するカバー体基体間封止部をさらに含むことを特徴とする、請求項１から５のいずれかに記載の遊技機。
【請求項７】
前記回路領域カバー体には、前記基板収容体に収容された前記制御基板からの発熱を外部に放熱するために貫通した放熱穴が形成された放熱穴領域が設けられ、
該放熱穴領域は、
前記回路領域カバー体の外部に面して第１の放熱穴が貫通形成された第１の放熱穴層と、
該第１の放熱穴層と所定間隔で設けられ、前記回路領域カバー体の内部に面して第２の放熱穴が貫通形成された第２の放熱穴層とを含み、
前記第１の放熱穴層および第２の放熱穴層は、前記回路領域カバー体表面を正面視したときに前記第１の放熱穴と前記第２の放熱穴とが重なり合わない態様で設けられていることを特徴とする、請求項１から６のいずれかに記載の遊技機。
【発明の詳細な説明】
【技術分野】
【０００１】
本発明は、パチンコ遊技機、コイン遊技機、または、スロットマシン等で代表される遊技機に関する。詳しくは、遊技者が所定の遊技を行なうことが可能な遊技機に関する。
【背景技術】
【０００２】
この種の遊技機として従来から一般的に知られているものに、遊技者が所定の遊技を行なうことが可能な遊技機があった。このような遊技機では、配線を接続するためのコネクタが設けられたコネクタ領域、および、遊技機の動作に関わる制御を実行するマイクロコンピュータ等の制御回路が設けられた回路領域を有する制御基板が設けられていた。このような制御基板は、ＲＯＭ交換等の不正行為を防止するために、基板収容体に収容されていた。基板収容体は、たとえば、制御基板が取付けられる基体と、該基体に取付けられた制御基板を覆う態様で基体に固着されるカバー体とにより構成される。このカバー体については、コネクタを露出可能な開口部を有し、該開口部からコネクタを露出させる構造であった。
【０００３】
そして、このようなカバー体は、回路領域を覆う部分とコネクタ領域を覆う部分とが一体化されたものと、別体化されたものとがあった。カバー体が別体化されたものの例としては、基体としてのボックスベースと回路領域を覆うカバー体であるボックスカバーとは別体でコネクタ領域を覆うカバー部材を設けたものがあった（特許文献１）。また、基体としてのボックス本体と回路領域を覆うカバー体である蓋体とは別体でコネクタ領域を覆う被服部材を設けたものがあった（特許文献２）。
【特許文献１】特開平１０−２４９０２２号公報（段落番号００１２、００１４、図３等）
【特許文献２】特開平１０−２８６３６５号公報（段落番号００３３、図６、図７等）
【発明の開示】
【発明が解決しようとする課題】
【０００４】
しかし、回路領域を覆う部分とコネクタ領域を覆う部分とが一体化されたカバー体を用いる従来の遊技機では、カバー体を着脱する際にコネクタの部分が邪魔になるので、基体とカバー体とを係合させる構造が制約を受けるという問題があった。また、回路領域を覆う部分とコネクタ領域を覆う部分とが別体化されたカバー体を用いる従来の遊技機では、制御基板と回路領域を覆うカバー体との間にコネクタ領域を覆うカバー体を挟持する構造であるので、このような構造に起因して、基体とカバー体とを係合させる構造が制約を受けるという問題があった。
【０００５】
本発明は、かかる事情に鑑み考え出されたものであり、その目的は、基体とカバー体とを係合させる構造の自由度を向上させることができる遊技機を提供することである。
【課題を解決するための手段の具体例およびその効果】
【０００６】
（１）  遊技者が所定の遊技を行なうことが可能な遊技機（パチンコ遊技機１）であって、
配線を接続するためのコネクタ（コネクタ３５１ａ，３５１ｂ，３５１ｄ，３５１ｅ〜３５１ｉ）が設けられたコネクタ領域、および、遊技機の動作に関わる制御を実行する制御回路（遊技制御用マイクロコンピュータ等）が設けられた回路領域を有する制御基板（主基板３１）と、
該制御基板を収容する基板収容体（主基板ボックス３５０）と、
一部を破壊しない限り固着状態を解除できない固着手段（ワンウェイネジ４２７、固定片部４１８ａ，４１８ｂ〜４２１ａ，４２１ｂ、６０１ａ，６０１ｂ〜６０４ａ，６０４ｂ、取付片部３９６ａ，３９６ｂ〜３９９ａ，３９９ｂ、５０１ａ，５０１ｂ〜５０４ａ，５０４ｂ）とを含み、
該基板収容体は、
基体（ボックス状主体３９０）と、
該基体に対して前記固着手段（ワンウェイネジ４２７、固定片部６０１ａ，６０１ｂ〜６０４ａ，６０４ｂ、取付片部５０１ａ，５０１ｂ〜５０４ａ，５０４ｂ）により固着されるカバー体（回路領域カバー体４１０、コネクタ領域カバー体４０８，４０９）とを含み、
該カバー体は、
前記回路領域を覆う態様で前記基体に対して前記固着手段により固着される回路領域カバー体（回路領域カバー体４１０）と、
該回路領域カバー体とは別体で設けられ、前記コネクタを露出可能な開口部（開口部穴４０８ａ，４０８ｂ，４０８ｄ，４０９ｅ〜４０９ｉ）を有し、該開口部から前記コネクタを露出させ、かつ、前記コネクタ領域の配線パターンを覆う態様で前記基体に対して前記固着手段（ワンウェイネジ４２７、固定片部４１８ａ，４１８ｂ〜４２１ａ，４２１ｂ、取付片部３９６ａ，３９６ｂ〜３９９ａ，３９９ｂ）により固着されるコネクタ領域カバー体（コネクタ領域カバー体４０８，４０９）とを含む。
【０００７】
このような構成によれば、カバー体が、回路領域カバー体と、コネクタ領域カバー体とに別体に設けられる。そして、回路領域カバー体が、回路領域を覆う態様で基体に対して固着されるとともに、コネクタ領域カバー体が開口部からコネクタを露出させ、かつ、コネクタ領域の配線パターンを覆う態様で基体に対して固着される。このため、回路領域カバー体の着脱の際にコネクタおよびコネクタ領域カバー体が邪魔にならないので、基体と回路領域カバー体とを係合させる構造の自由度を向上させることができる。
【０００８】
（２）  前記回路領域カバー体と前記基体とのうち、いずれか一方には、互いに摺動可能な態様で係合するための摺動凸部（摺動凸部７０１）を設け、他方には、前記摺動凸部と係合する摺動凹部（摺動凹部７００）を設けた。
【０００９】
このような構成によれば、回路領域カバー体と基体とのうち、いずれか一方には、互いに摺動可能な態様で係合するための摺動凸部が設けられ、他方には、摺動凸部と係合する摺動凹部が設けられるので、回路領域カバー体と基体とが互いに摺動可能な態様で係合することとなり、不正行為者が回路領域カバー体を開くことを困難化することができる。
【００１０】
（３）  遊技機において基板収容体が取付けられる収容体取付部（取付台４５０）をさらに含み、
該収容体取付部は、前記基板収容体が取付けられた状態において前記回路領域カバー体に当接して当該回路領域カバー体の摺動を阻止する摺動阻止部（補強片４５２，４５４）を有する。
【００１１】
このような構成によれば、収容体取付部が、基板収容体が取付けられた状態において回路領域カバー体に当接して回路領域カバー体の摺動を阻止する摺動阻止部を有するので、基板収容体が収容体取付部に取付けられた状態で不正行為者が回路領域カバー体を開くことを困難化することができる。このため、遊技機が設けられた遊技場の営業中において不正行為者により容易に回路領域カバー体が開かれることを防止できる。
【００１２】
（４）  前記コネクタ領域カバー体は、前記回路領域カバー体を係止する係止部（第２の封止壁４０８ｆ等）を有し、コネクタ領域カバー体の固着が解除されない限り係止部により前記回路領域カバー体の位置を規制する（図１２（Ａ）参照）。
【００１３】
このような構成によれば、コネクタ領域カバー体が、回路領域カバー体を係止する係止部を有し、コネクタ領域カバー体の固着が解除されない限り係止部により回路領域カバー体の位置が規制されるので、不正行為者が回路領域カバー体を開くことを一層困難化することができる。
【００１４】
（５）  前記コネクタ領域カバー体および前記回路領域カバー体のそれぞれ一部をオーバーラップさせ（図１２（Ａ）参照）、コネクタ領域カバー体と回路領域カバー体との隙間を封止するカバー体間封止部（回路領域カバー体４１０の側壁板４１１、コネクタ領域カバー体４０８の第２の封止壁４０８ｆ、コネクタ領域カバー体４０９の第２の封止壁）をさらに含む。
【００１５】
このような構成によれば、コネクタ領域カバー体および回路領域カバー体の一部をオーバーラップさせたカバー体間封止部によりコネクタ領域カバー体と回路領域カバー体との隙間が封止されるので、これらの隙間から不正行為者が基板収容体内に異物を挿入するのを防ぐことができる。
【００１６】
（６）  前記コネクタ領域カバー体および前記基体のそれぞれ一部をオーバーラップさせ、コネクタ領域カバー体と基体との隙間を封止するカバー体基体間封止部（コネクタ領域カバー体４０８の第１の封止壁４０８ｅ、コネクタ領域カバー体４０９の第１の封止壁、ボックス状主体３９０の側壁３９０ａ）をさらに含む。
【００１７】
このような構成によれば、コネクタ領域カバー体および基体のそれぞれ一部をオーバーラップさせたカバー体基体間封止部によりコネクタ領域カバー体と基体との隙間が封止されるので、これらの隙間から不正行為者が基板収容体内に異物を挿入するのを防ぐことができる。
【００１８】
（７）  前記回路領域カバー体には、前記基板収容体に収容された前記制御基板からの発熱を外部に放熱するために貫通した放熱穴が形成された放熱穴領域（放熱穴領域４１４）が設けられ、
該放熱穴領域は、
前記回路領域カバー体の外部に面して第１の放熱穴（放熱穴８３１）が貫通形成された第１の放熱穴層（放熱穴層８０１）と、
該第１の放熱穴層と所定間隔で設けられ、前記回路領域カバー体の内部に面して第２の放熱穴（放熱穴９３１）が貫通形成された第２の放熱穴層（放熱穴層９０１）とを含み、
前記第１の放熱穴層および第２の放熱穴層は、前記回路領域カバー体表面を正面視したときに前記第１の放熱穴と前記第２の放熱穴とが重なり合わない態様で設けられている（図１３参照）。
【００１９】
このような構成によれば、放熱穴領域が、第１の放熱穴層と第２の放熱穴層とに２層化され、第１の放熱穴層および第２の放熱穴層が、回路領域カバー体表面を正面視したときに第１の放熱穴と第２の放熱穴とが重なり合わない態様で設けられているので、放熱穴から不正行為者が基板収容体内に異物を挿入するのを防ぐことができる。
【発明を実施するための最良の形態】
【００２０】
以下に、本発明の実施の形態を図面に基づいて詳細に説明する。なお、以下の実施の形態においては、遊技機の一例としてパチンコ遊技機を示すが、本発明はこれに限らず、たとえばコイン遊技機やスロットマシンなどであってもよく、遊技者が所定の遊技を行なうことが可能な遊技機であればすべてに適用することが可能である。
【００２１】
図１は遊技機の一例としてのパチンコ遊技機１を正面からみた正面図である。図１に示すように、パチンコ遊技機１は、額縁状に形成されたガラス扉枠２を有する。ガラス扉枠２の下部表面には打球供給皿３がある。打球供給皿３の下部には、打球供給皿３からあふれた遊技球を貯留する余剰玉受皿４と打球を発射する打球操作ハンドル（操作ノブ）５が設けられている。ガラス扉枠２の後方には、遊技盤６が着脱可能に取付けられている。また、遊技盤６の前面には遊技領域７が設けられている。
遊技領域７の中央付近には、複数種類の図柄を可変表示するための可変表示部（特別図柄表示装置）９と７セグメントＬＥＤによる普通図柄表示器（普通図柄表示装置）１０とを含む可変表示装置８が設けられている。可変表示部９には、例えば「左」、「中」、「右」の３つの図柄表示エリアがある。可変表示装置８の側部には、打球を導く通過ゲート１１が設けられている。通過ゲート１１を通過した打球は、玉出口１３を経て始動入賞口１４の方に導かれる。通過ゲート１１と玉出口１３との間の通路には、通過ゲート１１を通過した打球を検出するゲートスイッチ１２がある。また、始動入賞口１４に入った入賞球は、遊技盤６の背面に導かれ、始動口スイッチ１７によって検出される。また、始動入賞口１４の下部には開閉動作を行う可変入賞球装置１５が設けられている。可変入賞球装置１５は、ソレノイド１６によって開状態とされる。
【００２２】
可変入賞球装置１５の下部には、特定遊技状態（大当り状態）においてソレノイド２１によって開状態とされる開閉板２０が設けられている。この実施の形態では、開閉板２０が大入賞口を開閉する手段となる。開閉板２０から遊技盤６の背面に導かれた入賞球のうち一方（Ｖゾーン）に入った入賞球はＶカウントスイッチ２２で検出される。また、開閉板２０からの入賞球はカウントスイッチ２３で検出される。可変表示装置８の下部には、始動入賞口１４に入った入賞球数を表示する４個の表示部を有する始動入賞記憶表示器１８が設けられている。この例では、４個を上限として、始動入賞がある毎に、始動入賞記憶表示器１８は点灯している表示部を１つずつ増やす。そして、可変表示部９の可変表示が開始される毎に、点灯している表示部を１つ減らす。
遊技盤６には、複数の入賞口１９，２４が設けられ、遊技球のそれぞれの入賞口１９，２４への入賞は、対応して設けられている入賞口スイッチ１９ａ，１９ｂ，２４ａ，２４ｂによって検出される。遊技領域７の左右周辺には、遊技中に点滅表示される装飾ランプ２５が設けられ、下部には、入賞しなかった打球を吸収するアウト口２６がある。また、遊技領域７の外側の左右上部には、効果音を発する２つのスピーカ２７が設けられている。遊技領域７の外周には、遊技効果ＬＥＤ２８ａおよび遊技効果ランプ２８ｂ，２８ｃが設けられている。
そして、この例では、一方のスピーカ２７の近傍に、賞球残数があるときに点灯する賞球ランプ５１が設けられ、他方のスピーカ２７の近傍に、補給球が切れたときに点灯する球切れランプ５２が設けられている。さらに、図１には、パチンコ遊技機１に隣接して設置され、プリペイドカードが挿入されることによって球貸しを可能にするカードユニット５０も示されている。
【００２３】
カードユニット５０には、使用可能状態であるか否かを示す使用可表示ランプ１５１、カード内に記録された残額情報に端数（１００円未満の数）が存在する場合にその端数を打球供給皿３の近傍に設けられる度数表示ＬＥＤに表示させるための端数表示スイッチ１５２、カードユニット５０がいずれの側のパチンコ遊技機１に対応しているのかを示す連結台方向表示器１５３、カードユニット５０内にカードが投入されていることを示すカード投入表示ランプ１５４、記録媒体としてのカードが挿入されるカード挿入口１５５、およびカード挿入口１５５の裏面に設けられているカードリーダライタの機構を点検する場合にカードユニット５０を解放するためのカードユニット錠１５６が設けられている。
【００２４】
打球発射装置から発射された打球は、打球レールを通って遊技領域７に入り、その後、遊技領域７を下りてくる。打球が通過ゲート１１を通ってゲートスイッチ１２で検出されると、普通図柄表示器１０の表示数字が連続的に変化する状態になる。また、打球が始動入賞口１４に入り始動口スイッチ１７で検出されると、図柄の変動を開始できる状態であれば、可変表示部９内の図柄が回転を始める。図柄の変動を開始できる状態でなければ、始動入賞記憶を１増やす。
可変表示部９内の画像の回転は、一定時間が経過したときに停止する。停止時の画像の組み合わせが大当り図柄の組み合わせであると、大当り遊技状態に移行する。すなわち、開閉板２０が、一定時間経過するまで、または、所定個数（例えば１０個）の打球が入賞するまで開放する。そして、開閉板２０の開放中に打球が特定入賞領域に入賞しＶカウントスイッチ２２で検出されると、継続権が発生し開閉板２０の開放が再度行われる。継続権の発生は、所定回数（例えば１５ラウンド）許容される。
【００２５】
停止時の可変表示部９内の画像の組み合わせが確率変動を伴う大当り図柄の組み合わせである場合には、次に大当りとなる確率が高くなる。すなわち、高確率状態という遊技者にとってさらに有利な状態となる。また、普通図柄表示器１０における停止図柄が所定の図柄（当り図柄＝小当り図柄）である場合に、可変入賞球装置１５が所定時間だけ開状態になる。さらに、高確率状態では、普通図柄表示器１０における停止図柄が当り図柄になる確率が高められるとともに、可変入賞球装置１５の開放時間と開放回数が高められる。
【００２６】
次に、パチンコ遊技機１の裏面に配置されている各基板について説明する。図２は、パチンコ遊技機１の裏面に設けられている各基板を示す説明図である。
【００２７】
図２に示すように、パチンコ遊技機１の裏面では、枠体２Ａ内の機構板１００の上部に玉貯留タンク３８が設けられ、パチンコ遊技機１が遊技機設置島に設置された状態でその上方から遊技球が球貯留タンク３８に供給される。球貯留タンク３８内の遊技球は、誘導樋３９を通って賞球ケース４０Ａで覆われる球払出装置に至る。
【００２８】
遊技機裏面側では、可変表示部９を制御する可変表示制御ユニット２９、遊技制御用マイクロコンピュータ等が搭載された遊技制御基板（主基板）３１が設置されている。また、球払出制御を行う払出制御用マイクロコンピュータ等が搭載された払出制御基板３７、およびモータの回転力を利用して打球を遊技領域７に発射する打球発射装置が設置されている。さらに、装飾ランプ２５、遊技効果ＬＥＤ２８ａ、遊技効果ランプ２８ｂ，２８ｃ、賞球ランプ５１および球切れランプ５２に信号を送るためのランプ制御基板３５、スピーカ２７からの音声発生を制御するための音声制御基板７０および打球発射装置を制御するための発射制御基板９１も設けられている。
【００２９】
さらに、ＤＣ３０Ｖ、ＤＣ２１Ｖ、ＤＣ１２ＶおよびＤＣ５Ｖを作成する電源回路が搭載された電源基板９１０が設けられ、上方には、各種情報を遊技機外部に出力するための各端子を備えたターミナル基板１６０が設置されている。ターミナル基板１６０には、少なくとも、球切れ検出スイッチの出力を導入して外部出力するための球切れ用端子、賞球個数信号を外部出力するための賞球用端子および球貸し個数信号を外部出力するための球貸し用端子が設けられている。また、中央付近には、主基板３１からの各種情報を遊技機外部に出力するための各端子を備えた情報端子盤３４が設置されている。なお、図２には、ランプ制御基板３５および音声制御基板７０からの信号を、枠側に設けられている遊技効果ＬＥＤ２８ａ、遊技効果ランプ２８ｂ，２８ｃ、賞球ランプ５１および球切れランプ５２に供給するための電飾中継基板Ａ７７が示されているが、信号中継の必要に応じて他の中継基板も設けられる。
【００３０】
図３はパチンコ遊技機１の機構板１００を背面からみた背面図である。球貯留タンク３８に貯留された玉は誘導樋３９を通り、図３に示されるように、球切れ検出器（球切れスイッチ）１８７ａ，１８７ｂを通過して球供給樋１８６ａ，１８６ｂを経て球払出装置９７に至る。球切れスイッチ１８７ａ，１８７ｂは遊技球通路内の遊技球の有無を検出するスイッチであるが、球タンク３８内の補給球の不足を検出する球切れ検出スイッチ１６７も設けられている。以下、球切れスイッチ１８７ａ，１８７ｂを、球切れスイッチ１８７と表現することがある。
【００３１】
球払出装置９７から払い出された遊技球は、連絡口４５を通ってパチンコ遊技機１の前面に設けられている打球供給皿３に供給される。連絡口４５の側方には、パチンコ遊技機１の前面に設けられている余剰玉受皿４に連通する余剰玉通路４６が形成されている。
【００３２】
入賞に基づく景品球が多数払い出されて打球供給皿３が満杯になり、ついには遊技球が連絡口４５に到達した後さらに遊技球が払い出されると遊技球は、余剰玉通路４６を経て余剰玉受皿４に導かれる。さらに遊技球が払い出されると、感知レバー４７が満タンスイッチ４８を押圧して満タンスイッチ４８がオンする。その状態では、球払出装置９７内のステッピングモータの回転が停止して球払出装置９７の動作が停止するとともに打球発射装置３４の駆動も停止する。
【００３３】
図４は、主基板３１における回路構成の一例を示すブロック図である。なお、図４には、払出制御基板３７、ランプ制御基板３５、音制御基板７０、発射制御基板９１および図柄制御基板８０も示されている。主基板３１には、プログラムに従ってパチンコ遊技機１を制御する基本回路５３と、ゲートスイッチ１２、始動口スイッチ１７、Ｖカウントスイッチ２２、カウントスイッチ２３、入賞口スイッチ１９ａ，１９ｂ，２４ａ，２４ｂ、満タンスイッチ４８、球切れスイッチ１８７および賞球カウントスイッチ３０１Ａからの信号を基本回路５３に与えるスイッチ回路５８と、可変入賞球装置１５を開閉するソレノイド１６、開閉板２０を開閉するソレノイド２１および大入賞口内の経路を切り換えるための切換ソレノイド２１Ａを基本回路５３からの指令に従って駆動するソレノイド回路５９とが搭載されている。
【００３４】
また、基本回路５３から与えられるデータに従って、大当りの発生を示す大当り情報、可変表示部９の画像表示開始に利用された始動入賞球の個数を示す有効始動情報、確率変動が生じたことを示す確変情報等の情報出力信号をホールコンピュータ等の外部機器に対して出力する情報出力回路６４が搭載されている。
【００３５】
基本回路５３は、ゲーム制御用のプログラム等を記憶するＲＯＭ５４、ワークメモリとして使用される記憶手段の一例であるＲＡＭ５５、プログラムに従って制御動作を行うＣＰＵ５６およびＩ／Ｏポート部５７を含む。この実施の形態では、ＲＯＭ５４，ＲＡＭ５５はＣＰＵ５６に内蔵されている。すなわち、ＣＰＵ５６は、１チップマイクロコンピュータである。なお、１チップマイクロコンピュータは、少なくともＲＡＭ５５が内蔵されていればよく、ＲＯＭ５４およびＩ／Ｏポート部５７は外付けであっても内蔵されていてもよい。
【００３６】
さらに、主基板３１には、電源投入時に基本回路５３をリセットするためのシステムリセット回路６５が設けられている。
【００３７】
また、主基板３１には、インタフェース回路２００が設けられている。後で詳しく説明するが、インタフェース回路２００は、遊技機外部からの識別情報要求コード（識別情報要求信号）を入力してＣＰＵ５６に伝達するとともに、ＣＰＵ５６からの識別情報等を、外部機器に接続可能なコネクタに伝達するための回路である。
【００３８】
遊技球を打撃して発射する打球発射装置は発射制御基板９１上の回路によって制御される駆動モータ９４で駆動される。そして、駆動モータ９４の駆動力は、操作ノブ５の操作量に従って調整される。すなわち、発射制御基板９１上の回路によって、操作ノブ５の操作量に応じた速度で打球が発射されるように制御される。
【００３９】
なお、この実施の形態では、ランプ制御基板３５に搭載されているランプ制御手段が、遊技盤に設けられている始動記憶表示器１８、ゲート通過記憶表示器４１および装飾ランプ２５の表示制御を行うとともに、枠側に設けられている遊技効果ランプ・ＬＥＤ２８ａ，２８ｂ，２８ｃ、賞球ランプ５１および球切れランプ５２の表示制御を行う。また、特別図柄を可変表示する可変表示部９および普通図柄を可変表示する普通図柄表示器１０の表示制御は、図柄制御基板８０に搭載されている表示制御手段によって行われる。
【００４０】
図５は、主基板３１におけるＣＰＵ５６周りの一構成例を示すブロック図である。図５に示すように、遊技機において用いられる各種電圧を生成する電源基板等に搭載されている電源監視手段からの電源断信号（電圧低下信号）が、ＣＰＵ５６のマスク不能割込端子（ＸＮＭＩ端子）に接続されている。電源監視回路は、遊技機が使用する各種直流電源のうちのいずれかの電源の電圧を監視して電源電圧低下を検出する回路である。この実施の形態では、ＶSLの電源電圧を監視して電圧値が所定値以下になるとローレベルの電源断信号を発生する。ＶSLは、遊技機で使用される直流電圧のうちで最大のものであり、この例では＋３０Ｖである。従って、ＣＰＵ５６は、割込処理によって電源断の発生を確認することができる。
【００４１】
図５には、システムリセット回路６５も示されている。リセットＩＣ６５１は、電源投入時に、外付けのコンデンサの容量で決まる所定時間だけ出力をローレベルとし、所定時間が経過すると出力をハイレベルにする。すなわち、リセット信号をハイレベルに立ち上げてＣＰＵ５６を動作可能状態にする。また、リセットＩＣ６５１は、電源監視回路が監視する電源電圧と等しい電源電圧であるＶSLの電源電圧を監視して電圧値が所定値（電源監視回路が電源断信号を出力する電源電圧値よりも低い値）以下になると出力をローレベルにする。従って、ＣＰＵ５６は、電源監視回路からの電源断信号に応じて所定の電力供給停止時処理を行った後、システムリセットされる。
【００４２】
図５に示すように、リセットＩＣ６５１からのリセット信号は、ＮＡＮＤ回路９４７に入力されるとともに、反転回路（ＮＯＴ回路）９４４を介してカウンタＩＣ９４１のクリア端子に入力される。カウンタＩＣ９４１は、クリア端子への入力がローレベルになると、発振器９４３からのクロック信号をカウントする。そして、カウンタＩＣ９４１のＱ５出力がＮＯＴ回路９４５，９４６を介してＮＡＮＤ回路９４７に入力される。また、カウンタＩＣ９４１のＱ６出力は、フリップフロップ（ＦＦ）９４２のクロック端子に入力される。フリップフロップ９４２のＤ入力はハイレベルに固定され、Ｑ出力は論理和回路（ＯＲ回路）９４９に入力される。ＯＲ回路９４９の他方の入力には、ＮＡＮＤ回路９４７の出力がＮＯＴ回路９４８を介して導入される。そして、ＯＲ回路９４９の出力がＣＰＵ５６のリセット端子に接続されている。このような構成によれば、電源投入時に、ＣＰＵ５６のリセット端子に２回のリセット信号（ローレベル信号）が与えられるので、ＣＰＵ５６は、確実に動作を開始する。
【００４３】
そして、例えば、電源監視回路の検出電圧（電源断信号を出力することになる電圧）を＋２２Ｖとし、リセット信号をローレベルにするための検出電圧を＋９Ｖとする。そのように構成した場合には、電源監視回路とシステムリセット回路６５とが、同一の電源ＶSLの電圧を監視するので、電圧監視回路が電源断信号を出力するタイミングとシステムリセット回路６５がシステムリセット信号を出力するタイミングの差を所望の所定期間に確実に設定することができる。所望の所定期間とは、電源監視回路からの電源断信号に応じて電力供給停止時処理を開始してから電力供給停止時処理が確実に完了するまでの期間である。
【００４４】
ＣＰＵ５６等の駆動電源である＋５Ｖ電源から電力が供給されていない間、ＲＡＭの少なくとも一部は、電源基板から供給されるバックアップ電源によってバックアップされ、遊技機に対する電源が断しても内容は保存される。そして、＋５Ｖ電源が復旧すると、システムリセット回路６５からリセット信号が発せられるので、ＣＰＵ５６は、通常の動作状態に復帰する。そのとき、必要なデータがバックアップＲＡＭに保存されているので、停電等からの復旧時に停電発生時の遊技状態に復帰することができる。
【００４５】
なお、図５に示す構成では、電源投入時にＣＰＵ５６のリセット端子に２回のリセット信号（ローレベル信号）が与えられるが、リセット信号の立ち上がりタイミングが１回しかなくても確実にリセット解除されるＣＰＵを使用する場合には、符号９４１〜９４９で示された回路素子は不要である。その場合、リセットＩＣ６５１の出力がそのままＣＰＵ５６のリセット端子に接続される。
【００４６】
なお、図５に示す入力ポート５７１は遊技機外部からの識別情報要求コードを入力するためのものであり、出力ポート５７２は遊技機外部に対する識別情報等を出力するためのものである。また、図５では、入力ポート５７１および出力ポート５７２は、ＣＰＵ５６の外に設置されているが、それらはＣＰＵ内蔵ポートであってもよい。
【００４７】
次に、本実施形態の要部を構成する主基板ボックス３５０の詳細な構造について図６乃至図１２を参照して説明する。図６は、機構板１００の下部構成部の背面から見て左側部分に取付けられる電源基板ボックス３３６及び主基板ボックス３５０の取付状態を示す斜視図である。図７は、主基板ボックス３５０の分解斜視図である。図８は、主基板ボックス３５０を構成するボックス状主体３９０と回路領域カバー体４１０とを固着する構造を示す平面図（Ａ），（Ｂ），（Ｄ）および断面図（Ｃ）である。図９は、ワンウェイネジの構造およびワンウェイネジを締着するための特殊マイナスドライバーの構造を説明するための説明図である。図９において、（Ａ），（Ｂ）は、ワンウェイネジの構造を説明するための説明図であり、（Ｃ），（Ｄ）は、ワンウェイネジを締着するための特殊マイナスドライバーの構造を説明するための説明図である。図１０は、主基板ボックス３５０を示す正面図である。図１１は、主基板ボックス３５０を固定片部４１８ａ〜４２１ａおよび取付片部３９６ａ〜３９９ａの側から見た平面図である。図１２は、コネクタ領域カバー体４０８，４０９と回路領域カバー体４１０との隙間の封止構造、および、コネクタ領域カバー体４０８，４０９とボックス状主体３９０との隙間の封止構造について説明するための説明図である。図１２において、（Ａ）は封止構造を示す断面図であり、（Ｂ）はコネクタ領域カバー体４０８，４０９の構造を示す斜視図である。
【００４８】
主基板ボックス３５０と電源基板ボックス３３６とは、前記機構板１００の下部構成部の背面から見てその左側部分に重畳的に取付けられる。なお、電源基板ボックス３３６は、電源スイッチ３７２（図６参照）を備えて電圧の異なる複数の電源を生成する前記電源基板９１０を収容するものであり、主基板ボックス３５０は、前記主基板３１を収容するものである。
【００４９】
図６に示すように、電源基板ボックス３３６を取付ける領域は、やや前面側に向かって凹状に形成されている。すなわち、電源基板ボックス３３６の取付空間の側壁を構成する透明側壁板３７８は、図６に示す右側下部構成部の機構板１００よりもやや前面側に奥まった位置（遊技盤６に近づく位置）となっており、その透明側壁板３７８の上部左右に一対の取付穴３７５を有する取付ボスが形成され、透明側壁板３７８の下辺左右に一対の係合穴３６７が形成されている。この係合穴３６７は、透明側壁板３７８から直角状に背面に向かって突設されるＬ字状突出板３６５との隅角部に形成されるものである。Ｌ字状突出板３６５の先端には、主基板ボックス３５０を取付けるための取付台４５０の下部を着脱自在に装着するための挿入溝３６６が形成されている。この挿入溝３６６については、後に詳述する。なお、透明側壁板３７８の裏面には、取付空間を補強するために補強リブ３７７が長方形状に突設されている。
【００５０】
しかして、上記のように構成される取付空間に電源基板ボックス３３６を取付けるには、電源基板ボックス３３６の下部両側に突設される係合突起３７３を係合穴３６７に差し込んだ後に、電源基板ボックス３３６の上部両側に突設される取付片３７４の取付穴を前記取付穴３７５に対応させてビス３７６を止着することにより簡単に取付けることができる。そして、この場合、電源基板ボックス３３６が右側下部構成部の機構板１００よりも前面側（遊技盤６に近い側）に奥まって取付けられているので、電源基板ボックス３３６の背面側への突出量を抑制することができる。特に、電源基板９１０は、他の制御基板と比べて高さ（厚み）を有するヒートシンクや大型のコンデンサが実装されるので、その電源基板９１０を収容する電源基板ボックス３３６も厚みがあるが、このような厚みのある基板ボックス３３６を取付けても背面側の突出量を抑制することができるものである。電源基板ボックス３３６の背面側には、遊技動作を制御する主基板３１を収容する主基板ボックス３５０が着脱自在に取付けられるようになっている。その取付は、図６に示すように、機構板１００の開口窓１０２の下辺よりやや上部にブリッジ状に掛け渡される横架突出板３６０に取付けられるものである。
【００５１】
主基板ボックス３５０は、導電性の取付台４５０に取付けられ、その取付台４５０の底面に形成される係合片４５５を、機構板１００の開口窓１０２の下辺よりやや上部にブリッジ状に掛け渡される横架突出板３６０に形成される挿入溝３６２とＬ字状突出板３６５の挿入溝３６６とに係合させることにより、簡単に行うことができる。すなわち、取付台４５０の係合片４５５を挿入溝３６２，３６６の挿入部３６２ａ，３６６ａに挿入して落とし入れる。そして、取付台４５０の全体を図示左方向にスライドさせて係合片４５５の基部を係止溝部３６２ｂ，３６６ｂに嵌め込む。このとき、係合爪３６４が取付台４５０の一側側面に当接係合した状態となって取付台４５０を逆方向にスライドできないようにしている。これによって、主基板ボックス３５０が機構板１００の背面に取付けられた状態となる。一方、取付台４５０を取り外すには、係合爪３６４を押圧した状態で取付台４５０を図示左側にスライドさせて取付台４５０が規制突起３６３に当接するまで移動させ、その後、全体を上方に引き抜くことによって取り外すことができる。なお、主基板ボックス３５０の構造及び該主基板ボックス３５０の取付台４５０への取付構造については、次に詳述するが、主基板ボックス３５０は取付台４５０に対して簡単に脱着できるようになっている。
【００５２】
図７に示すように、主基板３１は、長方形状のプリント配線基板によって構成されている。主基板３１の上面の大部分は、ＲＡＭ及びＲＯＭを内蔵してワンチップ化した所謂ワンチップマイクロコンピュータであるＣＰＵ４４３（ＣＰＵ、ＲＡＭ、ＲＯＭはそれぞれ別体にチップ化されていても良いし、ワンチップマイコンでも良い）、トランジスタ、抵抗等の電子部品を実装する電子部品実装領域として形成される。一方、主基板３１の上面におけるその他の部分は、縦方向の両側（右側および左側）の領域が複数のコネクタ３５１ａ〜３５１ｉを実装するコネクタ実装領域として形成されている。ここで、電子部品実装領域は、遊技機の動作に関わる制御を実行する制御回路が設けられた回路領域である。また、コネクタ実装領域は、配線を接続するためのコネクタが設けられたコネクタ領域である。
【００５３】
図７において、主基板ボックス３５０は、複数の被覆部材を組み付けることにより構成されており、その複数の被覆部材として、制御基板としての主基板３１の裏面を被覆し且つ該主基板３１を支持する基体としてのボックス状主体３９０と、回路領域カバー体４１０と、コネクタ領域カバー体４０８，４０９とを含む。回路領域カバー体４１０は、少なくともボックス状主体３９０に被覆支持される主基板３１の電子部品実装領域（表面）を覆う態様でボックス状主体３９０に固着される蓋状のカバー体である。また、コネクタ領域カバー体４０８，４０９のそれぞれは、回路領域カバー体４１０とは別体で設けられ、コネクタ３５１ａ，３５１ｂ，３５１ｄ，３５１ｅ〜３５１ｉを露出可能な複数の開口部穴４０８ａ，４０８ｂ，４０８ｄ，４０９ｅ〜４０９ｉを有し、これら各開口から各コネクタを露出させ、かつ、コネクタ実装領域の配線パターンを覆う態様でボックス状主体３９０に固着される板状のカバー体である。
【００５４】
この例では、主基板３１の電子部品実装領域が図中における主基板３１の左端部および右端部に形成されており、コネクタ領域カバー体４０８が回路領域カバー体４１０の図中左側に設けられ、コネクタ領域カバー体４０９が回路領域カバー体４１０の図中右側に設けられている。
【００５５】
回路領域カバー体４１０とコネクタ領域カバー体４０８，４０９とは、主基板３１を主基板ボックス３５０内に収容するために、ボックス状主体３９０に対して固着されるカバー体という点で共通しており、主基板３１上での覆う領域が異なっている。
【００５６】
ボックス状主体３９０、回路領域カバー体４１０、および、コネクタ領域カバー体４０８，４０９は、すべて内部が視認し得る非導電性の透明合成樹脂で形成されている。以下、主基板ボックス３５０を構成する各被覆部材（ボックス状主体３９０，回路領域カバー体４１０，コネクタ領域カバー体４０８，４０９）と主基板３１について詳細に説明する。
【００５７】
まず、ボックス状主体３９０について図７を参照して詳細に説明する。図７において、ボックス状主体３９０は、上面が開放した直方体状に形成され、その底面板３９１の内側（上面）の四隅のやや内側には、主基板３１を止着支持するための位置決め突起３９２と取付ボス３９３が突設されている。位置決め突起３９２は、底面板３９１の一方の対角線端部に突設され、取付ボス３９３は、他方の対角線端部に突設され、その中心に取付穴が形成されている。しかして、位置決め突起３９２には、主基板３１の一方の対角隅角部に形成される位置決め穴４４０が嵌合され、取付ボス３９３には、主基板３１の他方の対角隅角部に形成される取付穴４４１が対応せしめられて後述する基板取付用導電ネジ４４２によって止着されるようになっている。ただし、主基板３１を上記のようにして止着したときには、ボックス状主体３９０の側壁内周に主基板３１の裏面（ハンダ面）を支持する支持突起３９４が適宜間隔を置いて複数形成されている。
【００５８】
また、ボックス状主体３９０の横方向両側壁（上側および下側）の内側のそれぞれには、回路領域カバー体４１０をスライド（摺動）可能な態様で係合するための摺動凹部７００が回路領域カバー体４１０の横方向に延在する態様で設けられている。
【００５９】
さらに、ボックス状主体３９０の横方向両側壁（上側および下側）の外側には、回路領域カバー体４１０を固着するための固着部としての複数の取付片部３９６ａ，３９６ｂ〜３９９ａ，３９９ｂが突設形成されている。この取付片部３９６ａ，３９６ｂ〜３９９ａ，３９９ｂは、回路領域カバー体４１０とボックス状主体３９０とを分離できないように後述するワンウェイネジ４２７で止着するための止着穴４００を有するもので、詳細には、図８（Ｂ）の右側の図に示すように、ボックス状主体３９０の側壁から突設される細角状の切断リブ４０２の先端に止着穴４００と予備ネジ挿通穴４０１とが形成される瓢箪状の部材が一体的に形成されたものである。切断リブ４０２の延長線状に形成される止着穴４００は、ボックス状主体３９０と回路領域カバー体４１０とを固着する固着手段としてのワンウェイネジ４２７を螺着するための穴であり、その止着穴４００の側方に位置する予備ネジ挿通穴４０１は、予備のワンウェイネジ４２７を挿通保持するための穴である。なお、止着穴４００と予備ネジ挿通穴４０１との間には、成形時における引けを防止するための引け防止穴４０３が形成されている。また、予備ネジ挿通穴４０１の上端は、テーパー部４０１ａとなっており、該挿通穴４０１に挿通されている予備のワンウェイネジ４２７を取り出し易くしている。また、切断リブ４０２の両側上部のうち、止着穴４００と予備ネジ挿通穴４０１とを結ぶ面は、傾斜面４０４となっており、その反対側の面は、円弧状となっているため、図８（Ａ）に示すように、切断リブ４０２，４２６の両サイド上部が開けているので、切断リブ４０２，４２６をニッパ等の工具で切断する作業が行い易い。
【００６０】
なお、止着穴４００と予備ネジ挿通穴４０１とが形成される取付片部は、４つのうち、３つの取付片部３９７ａ，３９７ｂ〜３９９ａ，３９９ｂであり、１つの取付片部３９６ａ，３９６ｂには、止着穴４００だけが形成されている。したがって、取付片部３９６ａ，３９６ｂの切断リブ４０２の先端には、止着穴４００が形成される円形部材だけが一体的に形成されていることになる。また、ボックス状主体３９０の上部側壁の外側に突設される取付片部は、図示右から左に向かって３９６ａ，３９７ａ，３９８ａ，３９９ａとなっているが、下部側壁の外側に突設される取付片部は、図示左から右に向かって３９６ｂ，３９７ｂ，３９８ｂ，３９９ｂとなっている。さらに、図８（Ｂ）の右側に示す図は、上部の取付片部３９７ａ〜３９９ａであり、この場合には、止着穴４００の右側に予備ネジ挿通穴４０１が形成されているが、下部の取付片部３９７ｂ〜３９９ｂにおいては、止着穴４００の左側に予備ネジ挿通穴４０１が形成されている。つまり、図８（Ｂ）の右側に示す図を３５０度回転した状態となる。同様に、後述する固定片部４１９ａ，４１９ｂ〜４２１ａ，４２１ｂも上部と下部では、３５０度回転した回転対称の形状となる。
【００６１】
また、ボックス状主体３９０の縦方向両側壁（左側および右側）の外側には、コネクタ領域カバー体４０８，４０９をそれぞれワンウエイネジ４２７により固着するための固着部としての複数の取付片部５０１ａ，５０１ｂ〜５０４ａ，５０４ｂが突設形成されている。取付片部５０１ａ，５０１ｂ〜５０４ａ，５０４ｂの構成は、前述した３９６ａ，３９６ｂ〜３９９ａ，３９９ｂと同様である。ボックス状主体３９０の左部側壁の外側に突設される取付片部は、５０１ａ，５０２ａ，５０３ａ，５０４ａである。また、ボックス状主体３９０の右部側壁の外側に突設される取付片部は、５０１ｂ，５０２ｂ，５０３ｂ，５０４ｂである。
【００６２】
さらに、ボックス状主体３９０の縦方向の両方の側壁（右側および左側）上下には、係合突起４０５が外側に向かって突設され、縦方向の他方の側壁のほぼ中央に側壁と平行となるように係止レバー４０６が形成されている。係合突起４０５は、後述する取付台４５０に形成される係合穴４５７に係合されるものであり、係止レバー４０６は、取付台４５０の係止穴４５９に係止されるものである。そのため、係止レバー４０６の下端には、係止爪４０７が形成されている。つまり、係合突起４０５及び係止レバー４０６は、主基板ボックス３５０を取付台４５０に着脱自在に取付けるための部材である。
【００６３】
また、主基板３１には、その四隅に位置決め穴４４０と取付穴４４１が形成され、前述したようにボックス状主体３９０の底面板３９１の内側四隅に突設される位置決め突起３９２と取付ボス３９３に係合又は導電ネジ４４２で止着されるようになっている。なお、取付穴４４１は、主基板３１のグランドラインがプリントされる部分に形成されており、導電ネジ４４２を止着したときには、そのグランドラインと導電ネジ４４２とが導通するようになっている。この導電ネジ４４２は、その先端が平面状の先端当接面となっており、しかも、主基板３１を取付穴４４１に止着したときにその先端が底面板３９１の裏面側に露出した状態となっているため、後に詳述するように主基板ボックス３５０を取付台４５０に装着したときには、取付台４５０の弾性当接片４６１と押圧当接するようになっている。また、主基板３１に実装されたコネクタ３５１ａ〜３５１ｉのうち前述した外部機器（照合機）との接続用コネクタ３５１ｃは、その他のコネクタ３５１ａ・３５１ｂ・３５１ｄ〜３５１ｉとは異なった色に設定されており、これによってＣＰＵ５６を照合するためのコネクタ３５１ｃを他のコネクタ３５１ａ・３５１ｂ・３５１ｄ〜３５１ｉと差別化している。
【００６４】
次に、上記のようにボックス状主体３９０に支持された主基板３１の実装面側を覆う蓋体としての回路領域カバー体４１０について図７を参照して説明する。回路領域カバー体４１０は、下方が開放したボックス状に形成され、図示縦方向の両方の側壁板４１１及び上面板の上下に主基板ボックス３５０に収容された主基板３１からの発熱を外部に放熱するために貫通した複数の放熱穴（図示省略、詳細は図１３に図示）が形成された放熱穴領域４１４が形成されている。
【００６５】
また、回路領域カバー体４１０の上面板には、上下の放熱穴領域４１４の間に機種名シールを貼付する機種名シール貼付部４１５と主基板３１を検査した際に書き込む「検査者」「検査日」の各項目とを記した履歴シールを貼付する履歴シール貼付部４１６が形成されている。
【００６６】
また、回路領域カバー体４１０の横方向両側壁（上側および下側）の外側のそれぞれには、領域カバー体４１０をスライド（摺動）可能な態様で係合するための摺動凸部７０１が回路領域カバー体４１０の横方向に延在する態様で設けられている。摺動凸部７０１が、ボックス状主体３９０に設けられた摺動凹部７００に嵌め入れられて係合されると、回路領域カバー体４１０とボックス状主体３９０とを摺動凸部７０１および摺動凹部７００に沿って互いにスライドさせることができる。
【００６７】
なお、この例では、回路領域カバー体４１０側に摺動凸部７０１を設け、ボックス状主体３９０側に摺動凹部７００を設ける例を示したが、これに限らず、ボックス状主体３９０側に摺動凸部７０１を設け、回路領域カバー体４１０側に摺動凹部７００を設けてよい。すなわち、回路領域カバー体４１０とボックス状主体３９０側とのうち、いずれか一方に摺動凸部７０１を設け、他方に摺動凹部７００を設ければよい。
【００６８】
また、回路領域カバー体４１０の上部側壁および下部側壁のそれぞれには、固着部としての複数（４つ）の固定片部４１８ａ，４１８ｂ〜４２１ａ，４２１ｂが突設形成されている。この固定片部４１８ａ，４１８ｂ〜４２１ａ，４２１ｂは、回路領域カバー体４１０とボックス状主体３９０とが分離できないように後述するワンウェイネジ４２７を挿通するための挿通穴４２３を有するもので、その挿通穴４２３がボックス状主体３９０の前記取付片部３９６ａ，３９６ｂ〜３９９ａ，３９９ｂの止着穴４００に対応するものである。たとえば、固定片部と取付片部とは、図１１に示すような対応関係で設けられている。より詳細には、図８（Ｂ）の左側の図に示すように回路領域カバー体４１０の側壁から突設される細角状の切断リブ４２６の先端に挿通穴４２３と予備ネジ覆板部４２５とが形成されるＬ字状の部材が一体的に形成されたものである。切断リブ４２６の延長線状に形成される挿通穴４２３は、ボックス状主体３９０と回路領域カバー体４１０とを固着する固着手段としてのワンウェイネジ４２７を挿通するための穴であり、ワンウェイネジ４２７を挿通したときにその頭部が突出しないように挿通穴４２３の上端部分が凹部４２２となっている。また、凹部４２２の上端縁は、テーパー部４２４となってワンウェイネジ４２７を挿入し易いようになっている。また、挿通穴４２３の側方に位置する予備ネジ覆板部４２５は、前記予備ネジ挿通穴４０１に挿通されている予備のワンウェイネジ４２７の上部を覆うための板である。また、切断リブ４２６の両側上部の面は、円弧状となっているため、図８（Ａ）に示すように、切断リブ４０２，４２６の両サイド上部が開けているので、切断リブ４０２，４２６をニッパ等の工具で切断する作業が行い易い。
【００６９】
なお、挿通穴４２３と予備ネジ覆板部４２５とが形成される固定片部は、４つのうち、３つの固定片部４１８ａ，４１８ｂ〜４２０ａ，４２０ｂであり、１つの固定片部４２１ａ，４２１ｂには、挿通穴４２３だけが形成されている。したがって、固定片部４２１ａ，４２１ｂの切断リブ４２６の先端には、挿通穴４２３が形成される円形部材だけが一体的に形成されていることになる。また、回路領域カバー体４１０の上部側壁の外側に突設される固定片部は、図示右から左に向かって４１８ａ，４１９ａ，４２０ａ，４２１ａとなっているが、下部側壁の外側に突設される固定片部は、図示左から右に向かって４１８ｂ，４１９ｂ，４２０ｂ，４２１ｂとなっている。さらに、図８（Ｂ）の左側に示す図は、上部の固定片部４１８ａ〜４２０ａであり、この場合には、挿通穴４２３の左側に予備ネジ覆板部４２５が形成されているが、下部の固定片部４１８ｂ〜４２０ｂにおいては、挿通穴４２３の右側に予備ネジ覆板部４２５が形成されている。つまり、図８（Ｂ）の左側に示す図を３５０度回転した状態となる。また、回路領域カバー体４１０の上面板部には、固定片部４１８ａ，４１８ｂの切断リブ４２６の近傍に「１」という刻印４２８が形成され、固定片部４１９ａ，４１９ｂの切断リブ４２６の近傍に「２」という刻印４２８が形成され、固定片部４２０ａ，４２０ｂの切断リブ４２６の近傍に「３」という刻印４２８が形成され、固定片部４２１ａ，４２１ｂの切断リブ４２６の近傍に「４」という刻印４２８が形成されている。
【００７０】
前述のような取付片部３９６ａ，３９６ｂ〜３９９ａ，３９９ｂと、固定片部４１８ａ，４１８ｂ〜４２１ａ，４２１ｂとの位置合わせは、回路領域カバー体４１０とボックス状主体３９０とを摺動凸部７０１および摺動凹部７００に沿って互いにスライドさせることにより行なわれる。
【００７１】
また、コネクタ領域カバー体４０８，４０９のそれぞれの外側端部（コネクタ領域カバー体４０８の図中左端部，コネクタ領域カバー体４０９の図中右端部）のそれぞれには、固着部としての複数（４つ）の固定片部６０１ａ，６０１ｂ〜６０４ａ，６０４ｂが突設形成されている。この固定片部６０１ａ，６０１ｂ〜６０４ａ，６０４ｂの構成は、前述の固定片部４１８ａ，４１８ｂ〜４２１ａ，４２１ｂと同様であり、コネクタ領域カバー体４０８，４０９のそれぞれがボックス状主体３９０と分離できないようにワンウェイネジ４２７を挿通するための挿通穴６０５を有するもので、その挿通穴６０５がボックス状主体３９０の前記取付片部５０１ａ，５０１ｂ〜５０４ａ，５０４ｂの止着穴５０５（図１３参照）に対応するものである。
【００７２】
コネクタ領域カバー体４０８には、固定片部６０１ａ，６０２ａ，６０３ａ，６０４ａが設けられている。また、コネクタ領域カバー体４０９には、固定片部６０１ｂ，６０２ｂ，６０３ｂ，６０４ｂが設けられている。
【００７３】
上記のように構成される回路領域カバー体４１０の固定片部４１８ａ，４１８ｂ〜４２１ａ，４２１ｂとボックス状主体３９０の取付片部３９６ａ，３９６ｂ〜３９９ａ，３９９ｂとの作用について説明する。まず、パチンコ遊技機１の出荷段階においては、固定片部４１８ａ，４１８ｂにワンウェイネジ４２７を挿入して取付片部３９６ａ，３９６ｂの止着穴４００に螺着することにより、回路領域カバー体４１０をボックス状主体３９０に固定する作業を終了している（図８（Ａ）に示す状態）。
【００７４】
なお、ワンウェイネジ４２７は、ネジ締め方向にしか回らない特殊なネジであり、一旦締め付けるとネジを破壊しない限り取り外すことができないものである。具体的には、図９（Ａ），（Ｂ）に示すように、その頭部４２９に形成されたネジ溝が当接面部４３０と凹部４３１と中心穴部４３２とから構成されている。そして、図９（Ｃ），（Ｄ）に示す特殊マイナスドライバー４３３でネジ締めを行う場合には、ドライバー４３３の中心軸部４３４を中心穴部４３２に差し込み、この状態からドライバー４３３の当接片部４３５を当接面部４３０に当接させて一方向（図９（Ａ）の時計回り方向）に頭部４２９を回転させることでネジ締めを行う。一方、ドライバー４３３で頭部４２９を他方向（図９（Ａ）の反時計回り方向）に回転させてネジ４２７を取り外そうとした場合には、ドライバー４３３が凹部４３１に入り込んで滑ってしまい頭部４２９を回転させることができずにネジ４２７の取り外しが行えない。なお、通常のマイナスドライバーでも頭部４２９を一方向に回転させてネジ締めすることは可能であるが、特殊マイナスドライバー４３３のように、中心軸部４３４をワンウェイネジ４２７の中心穴部４３２に差し込んでワンウェイネジ４２７との位置決めを行った方が締め付け作業が容易に行える。さらに、出荷段階においては、紫外線硬化樹脂によりワンウェイネジ４２７の頭部を被覆して硬化しておくことにより、ワンウェイネジ４２７の頭部を切断するような不正改造を防止する効果を高めるようにしても良い。
【００７５】
また、コネクタ領域カバー体４０８，４０９の固定片部６０１ａ，６０１ｂ〜６０４ａ，６０４ｂとボックス状主体３９０の取付片部５０１ａ，５０１ｂ〜５０４ａ，５０４ｂとの作用については、前述した回路領域カバー体４１０の固定片部４１８ａ，４１８ｂ〜４２１ａ，４２１ｂとボックス状主体３９０の取付片部３９６ａ，３９６ｂ〜３９９ａ，３９９ｂとの作用と同様であるため、ここでは重複した説明を繰返さない。
【００７６】
また、図１０に示されるように、コネクタ領域カバー体４０８には、コネクタ３５１ａ，３５１ｂ，３５１ｄのそれぞれに対応して、対応するコネクタの大きさとほぼ同じ大きさで開口部としてのコネクタ貫通穴４０８ａ，４０８ｂ，４０８ｄが形成されており、各コネクタ貫通穴から対応するコネクタが突出される。同様に、コネクタ領域カバー体４０９には、コネクタ３５１ｅ〜３５１ｉのそれぞれに対応して、対応するコネクタの大きさとほぼ同じ大きさで開口部としてのコネクタ貫通穴４０９ｅ〜４０９ｉが形成されており、各コネクタ貫通穴から対応するコネクタが突出される。コネクタ貫通穴４０８ａ，４０８ｂ，４０８ｄ，４０９ｅ〜４０９ｉは、対応するコネクタ３５１ａ，３５１ｂ，３５１ｄ，３５１ｅ〜３５１ｉの大きさとほぼ同じ大きさでそれぞれ形成されているため、各コネクタ貫通穴からは対応するコネクタのみが貫通する。これにより、主基板３１のコネクタ実装領域における各コネクタ周辺は、コネクタ領域カバー体４０８，４０９により被覆される。これにより、コネクタ領域カバー体４０８，４０９によって各コネクタ周辺の配線パターンが完全に覆われた状態となる。このため、各コネクタ周辺の配線パターンに不正な配線のハンダ付け等を行うことを防止することができると共に、主基板３１と回路領域カバー体４１０との間から配線を含む異物を挿入することができず、いずれにしても主基板３１に対する不正な行為が行えないようになっている。
【００７７】
次に、コネクタ領域カバー体４０８，４０９と回路領域カバー体４１０との隙間の封止構造、および、コネクタ領域カバー体４０８，４０９とボックス状主体３９０との隙間の封止構造について説明する。図１２には、コネクタ領域カバー体４０８を代表例として、封止構造が示されている。図１２（Ａ），（Ｂ）に示されるように、コネクタ領域カバー体４０８には、ボックス状主体３９０の側壁（左右側壁）３９０ａの内側に当接することが可能な第１の封止壁４０８ｅと、回路領域カバー体４１０の側壁板４１１の内側に当接することが可能な第２の封止壁４０８ｆとが設けられている。第１の封止壁４０８ｅは、開口部穴が形成された被覆部４０８ｇの長手方向の一方端部（外側）に沿って設けられ、第２の封止壁４０８ｆは、その他方端部に沿って設けられている。第１の封止壁４０８ｅの外側には、５０１ａ，５０２ａ，５０３ａ，５０４ａが設けられている。
【００７８】
回路領域カバー体４１０をボックス状主体３９０に係合して取付けた状態においては、図１２の（Ａ）に示されるように、側壁板４１１とボックス状主体３９０との間に隙間が生じる。この隙間には主基板３１が存在する。コネクタ領域カバー体４０８は、このような側壁板４１１と主基板３１との間の隙間から主基板ボックス３５０内部に第２の封止壁４０８ｆを差込んだ後、開口部穴４０８ａ等の開口部穴に、コネクタ３５１ｄ等の対応するコネクタを挿入し、第２の封止壁４０８ｆがボックス状主体３９０の側壁３９０ａの内側に当接し、かつ、固定片部６０４ａ等の固定片部が取付片部５０４ａ等の取付片部と対応するように嵌め入れることにより、主基板ボックス３５０に取付けられる。つまり、ボックス状主体３９０に回路領域カバー体４１０が取付けられた後、コネクタ領域カバー体４０８，４０９が取付けられるのである。そして、前述した回路領域カバー体４１０とボックス状主体３９０とを固着する場合と同様に、１組の対応する固定片部および取付片部にワンウェイネジ４２７が挿通されることにより、コネクタ領域カバー体４０８とボックス状主体３９０とが固着される。なお、図中６０１は、各取付片部６０１ａ，６０２ａ，６０３ａ，６０４ａの各々の切断リブである。図中６０１は、各取付片部５０１ａ，５０２ａ，５０３ａ，５０４ａの各々の切断リブである。
【００７９】
図１２においては、代表例として、コネクタ領域カバー体４０８側の構造を示したが、コネクタ領域カバー体４０９側の構造は、図１２に示された構造と同様である。このため、コネクタ領域カバー体４０９は、コネクタ領域カバー体４０８と同様に取扱われる。
【００８０】
このようにコネクタ領域カバー体４０８とボックス状主体３９０とが固着された状態においては、図１２（Ａ）に示されるように、ボックス状主体３９０の側壁３９０ａの内側に第１の封止壁４０８ｅが当接し、回路領域カバー体４１０の側壁板４１１の内側に第２の封止壁４０８ｆが当接することにより、コネクタ領域カバー体４０８と回路領域カバー体４１０との隙間が封止されるとともに、コネクタ領域カバー体４０８とボックス状主体３９０との隙間が封止される。つまり、コネクタ領域カバー体４０８および回路領域カバー体４１０のそれぞれ一部がオーバーラップ（重なり合う）することにより、これらの間の隙間が封止される。また、コネクタ領域カバー体４０８およびボックス状主体３９０のそれぞれ一部がオーバーラップ（重なり合う）することにより、これらの間の隙間が封止される。このような機能は、コネクタ領域カバー体４０９についても同様である。
【００８１】
また、第２の封止壁４０８ｆは、コネクタ領域カバー体４０９側に設けられた第２の封止壁とともに、回路領域カバー体４１０を係止する係止部としての機能も有する。つまり、コネクタ領域カバー体４０８側の第２の封止壁４０８ｆと、コネクタ領域カバー体４０９側の第２の封止壁とがともに、回路領域カバー体４１０の側壁板４１１の内側で側壁板４１１に当接しているので、これら第２の封止壁により回路領域カバー体４１０の摺動が規制されることにより、切断リブ５０１，６０１が切断されてコネクタ領域カバー体４０８，４０９の固着が解除されない限り、これら第２の封止壁により回路領域カバー体４１０の位置が規制される。より具体的には、コネクタ領域カバー体４０８，４０９が取り去られると、回路領域カバー体４１０がこれら第２の封止壁に当接しないので、回路領域カバー体４１０が摺動可能となる。
【００８２】
次に、遊技場等で主基板ボックス３５０を主基板３１の検査（出荷納入後にＲＯＭが正規のものか否かを検査する）のために開放（開封）し、その後再度閉塞（開止）状態に復元する手順を説明する。まず、前述したようにコネクタ領域カバー体４０８，４０９とボックス状主体３９０との固着を解除して、コネクタ領域カバー体４０８，４０９をボックス状主体３９０から分離する。そして、まだ閉塞状態にある主基板ボックス３５０において、刻印「１」の目印の切断リブ４２６，４０２をニッパー等の切断工具で切断する。これにより、固定片部４１８ａ，４１８ｂ及び取付片部３９６ａ，３９６ｂは、回路領域カバー体４１０及びボックス状主体３９０から完全に分離された状態となる（図８（Ｄ）に示す状態）。これにより、回路領域カバー体４１０が前述のようにスライド可能となるので、回路領域カバー体４１０をスライドさせて、回路領域カバー体４１０とボックス状主体３９０との係合を解除することにより、主基板ボックス３５０が開放される。これにより、主基板３１の検査を行うことができる。また、このような回路領域カバー体４１０の取り外し（切断リブ４２６，４０２の切断）によって、各予備ネジ挿通穴４０１に挿通されたワンウェイネジ４２７は、取り出し可能な状態となり、このうち取付片部３９７ａ，３９７ｂの予備ネジ挿通穴４０１に挿通された予備のワンウェイネジ４２７を主基板ボックス３５０の復元用に取り出す。その後、主基板ボックス３５０を前述したよう手順に従って閉塞した後に、次に取り出したワンウェイネジ４２７を刻印「２」を目印に固定片部４１９ａ，４１９ｂの挿通穴４２３に挿通して取付片部３９７ａ，３９７ｂの止着穴４００に螺着することにより、主基板ボックス３５０が再度閉塞状態に復元される。以下、同様にして複数回（本実施形態の場合には、４回だが、４回目は、ワンウェイネジ４２７で止めることができないので、実質的には３回）の再検査を行うことができるものである。
【００８３】
なお、前述の回路領域カバー体４１０とボックス状主体３９０との係合に先立って行なわれるコネクタ領域カバー体４０８，４０９とボックス状主体３９０との固着の解除をする際の切断リブの切断手順は、前述した回路領域カバー体４１０とボックス状主体３９０との係合を解除する際の切断リブの切断手順と同様である。また、その後において予備のワンウェイネジと、残った固定片部および取付片部とを用いて再度コネクタ領域カバー体４０８，４０９とボックス状主体３９０とを固着する手順も、前述した回路領域カバー体４１０とボックス状主体３９０とを再度固着する手順と同様である。このため、再度コネクタ領域カバー体４０８，４０９とボックス状主体３９０との再固着は、前述した再検査の回数に対応することができる。
【００８４】
ところで、上記した主基板ボックス３５０の閉塞状態においては、主基板ボックス３５０の所定の部位（本実施形態の場合には切断リブ）を切断しない限り、主基板ボックス３５０が開放できないようになっている。従って、主基板３１の検査以外で切断リブが切断されるような場合は、この切断により主基板３１に不正が行われたことが即座に且つ確実に判別できるため、主基板ボックス３５０の防犯効果を高めることができる。
【００８５】
なお、上方が開放されたボックス状主体３９０と下方が開放された回路領域カバー体４１０を上記したように閉塞した状態においては、ボックス状主体３９０の全周側壁と回路領域カバー体４１０の全周側壁とが側方から見て重畳するようになっている。このことは、側方から見てボックス状主体３９０と回路領域カバー体４１０との間に隙間が形成されていないということを意味し、ボックス状主体３９０と回路領域カバー体４１０との間に隙間が生じるのは、回路領域カバー体４１０の背面側から見たとき（図７の右から左方向に見たとき）であり、この場合、主基板３１に対して垂直方向となるため、仮にボックス状主体３９０と回路領域カバー体４１０との隙間から細い針金状の異物を挿入しようとしても、その異物を直角に折り曲げなければ主基板３１の内部に実装される電子部品に到達することができないので、本実施形態のような主基板ボックス３５０は、不正行為を行い難いという利点がある。
【００８６】
上記のように構成される主基板ボックス３５０が着脱自在に取付けられる取付台４５０について図７を参照して説明する。取付台４５０は、ほぼ長方形状の導電性金属板（導電性合成樹脂でも良い）によってほぼ長方形状に形成され、その周辺が折り曲げられて補強片４５１〜４５４となっている。図示縦方向の補強片４５２，４５４の上下にボックス状主体３９０の前記係合突起４０５が挿入される係合穴４５７が穿設されている。また、他方の補強片４５４のほぼ中央は、折り曲げられることなくそのまま外側に向かって延設された係止片部４５８となっており、その係止片部４５８にボックス状主体３９０の前記係止レバー４０６の係止爪４０７が係止される係止穴４５９が形成されている。なお、係止片部４５８を補強するために係止片部４５８の上下には、ビード加工部４６０が形成されている。なお、上辺の補強片４５１だけは、外側に向かって折り曲げられており、機構板１００の横架突出板３６０に取付台４５０が取付けられたときに補強片４５１が横架突出板３６０の上辺部と当接するようになっている。
【００８７】
補強片４５１〜４５４のうち、補強片４５２，４５４は、ボックス状主体３９０が取付台４５０に取付けられた状態で、ボックス状主体３９０のうち回路領域カバー体４１０の左右端部に当接して回路領域カバー体４１０の摺動を阻止する摺動阻止部としての機能を有している。
【００８８】
さらに、取付台４５０の上下左右の底面の４箇所に係合片４５５が打ち抜き形成されていると共に、取付台４５０の図示左下底面及び右上底面に弾性当接片４６１が打ち抜き形成されている。このため、係合片４５５及び弾性当接片４６１が形成される底面には、打ち抜き開口４５６，４６２がそれぞれ形成されている。係合片４５５は、前記横架突出板３６０に形成される挿入溝３６２及びＬ字状突出板３６５に形成される挿入溝３６６に挿入されるものである。ところで、この弾性当接片４６１が形成される位置は、主基板ボックス３５０を取付台４５０に取付けたときに、ボックス状主体３９０に主基板３１を止着する導電ネジ４４２の下端が当接する位置となっている。そして、弾性当接片４６１は、いずれも取付台４５０の端部に向けて上り勾配となるように形成されている。
【００８９】
上記のように構成される取付台４５０に主基板ボックス３５０を装着するには、主基板ボックス３５０の左側を斜め下方にして取付台４５０に当接した後、図示左方向にスライドさせて係合突起４０５を係合穴４５７に差し込む。このとき、主基板ボックス３５０の左下部分が左下の弾性当接片４６１を下方に押し込み、しかも当該弾性当接片４６１がスライド方向に対して上り勾配となっているので、係合突起４０５の係合穴４５７への差し込み作業に支障を来すことはない。係合突起４０５を係合穴４５７に差し込んだ後に主基板ボックス３５０の右側を取付台４５０に当接させ、その後、主基板ボックス３５０を右側にスライドさせて係合突起４０５を係合穴４５７に係合させると共に係止レバー４０６の係止爪４０７を係止穴４５９に係合させる。これによって主基板ボックス３５０を取付台４５０に完全に装着した状態となる。なお、主基板ボックス３５０を右方向にスライドさせる作業の場合にも右上の弾性当接片４６１がスライド方向に対して上り勾配となっているので、係合突起４０５と係合穴４５７とを係合させると共に係止レバー４０６の係止爪４０７を係止穴４５９に係合させる作業に支障を来すことはない。
【００９０】
上記のようにして主基板ボックス３５０を取付台４５０に取付けた状態においては、導電ネジ４４２の先端当接面が導電性の金属板で形成される取付台４５０の弾性当接片４６１に当接した状態となっている。しかして、導電ネジ４４２は、主基板３１のグランドラインに接触しているので、主基板３１に侵入したノイズを導電ネジ４４２及び弾性当接片４６１、さらに機構板１００を介して外部に放電することができる。このため、従来、主基板ボックスを透明化したことにより導電部材を使用し難くノイズに弱い基板ボックスとなっていたが、本実施形態のように構成すれば、ノイズに対して十分に対処し得るものである。また、従来の基板ボックスにおいてアース線を接続したものに比べてもアース構造が主基板ボックス３５０を単に取付台４５０に装着するだけで実現できるので、極めて簡単である。
【００９１】
なお、主基板ボックス３５０を取付台４５０から取り外す場合には、係止レバー４０６を主基板ボックス３５０の内側に向かって押さえ付けながら、全体を左方向にスライドさせて図示右側の係合突起４０５と係合穴４５７との係合を解除し、主基板ボックス３５０の右側を持ち上げて右側にスライドさせることにより、図示左側の係合突起４０５と係合穴４５７との係合を解除させ、これによって主基板ボックス３５０を取付台４５０から簡単に取り外すことができる。また、上記した主基板ボックス３５０の取付台４５０への取付は、取付台４５０を機構板１００に取付けたままの状態であっても行うことができる。
【００９２】
また、前記回路領域カバー体４１０には、前記主基板３１の表面に実装されるコネクタ実装領域を覆い且つコネクタ３５１ａ〜３５１ｉに対応する部分にコネクタ３５１ａ〜３５１ｉを貫通させる開口としてのコネクタ貫通穴４１３を形成した覆板としてのパターン被覆板４１２を一体形成したことを特徴とする。このように構成することにより、ボックス状主体３９０と回路領域カバー体４１０とを組み付けるだけでコネクタ実装領域の配線パターン部分が回路領域カバー体４１０に一体形成されるパターン被覆板４１２によって被覆されて不正な配線接続を防止し、さらに、コネクタ３５１ａ〜３５１ｉがパターン被覆板４１２のコネクタ貫通穴４１３から外部に露出しているので、主基板３１に対する配線の接続・取り外しを極めて簡単に行うことができる。
【００９３】
次に、回路領域カバー体４１０に設けられた放熱穴領域４１４の構成を説明する。図１３は、回路領域カバー体４１０に設けられた放熱穴領域４１４の構成を示す断面図である。
【００９４】
放熱穴領域４１４には、回路領域カバー体４１０の外部に面して複数の第１の放熱穴８３１が貫通形成された第１の放熱穴層８０１と、第１の放熱穴層８０１と所定間隔で設けられ、回路領域カバー体４１０の内部に面して複数の第２の放熱穴９３１が貫通形成された第２の放熱穴層９０１とが設けられている。
【００９５】
図１３に示すように、放熱穴８３１，９３１ は形成位置がずれている。つまり、放熱穴８３１，９３１ は、回路領域カバー体４１０の表面を正面視したときに、これら放熱穴８３１，９３１が重なり合わない態様で設けられている。また、放熱穴８３１の形成個所においては、異物（不正部材）の通過を阻害する通過阻害部材として、放熱穴８３１の周囲から下方に延びる筒状部材（例えば合成樹脂製）８４１が設けられている。さらに、放熱穴８３１の周囲の上方には、通過阻害部材の一例である第２の筒状部材（例えば合成樹脂製）８４２と蓋部材（例えば合成樹脂製）８４３とが設けられている。図１３には放熱穴８３１が１カ所のみ示されているが、第１の放熱穴層８０１に設けられたすべての放熱穴８３１について通過阻害部材が存在していることが好ましい。
【００９６】
筒状部材８４２ は、放熱穴８３１の周囲から上に延びる筒状の部材であり、さらに、蓋部材８４３ は、筒状部材８４２ の上部を塞ぐような円形形状であって、放熱穴８３１の径よりもやや大きい径であることが好ましい。筒状部材８４２の一部には、穴が設けられ、放熱穴層９０１の側と外部と貫通するようになっている。従って、筒状部材８４２と蓋部材８４３とは、放熱穴８３１から離間した位置で放熱穴８３１に対応する面（放熱穴８３１を垂線方向（主基板３１および放熱穴層９０１ に対して）に平行移動した場合にできる面）を塞ぐとともに、放熱穴８３１を通過する空気の流れを屈曲させる蓋状部材（主基板ボックス３５０の表面を正面視したときに放熱穴８３１と重複するように設けられた蓋状部材）を構成する。なお、筒状部材８４１，８４２は、第１の放熱穴層８０１と一体成型してもよい。また、蓋部８４３は、第１の放熱穴層８０１と一体成型してもよい。
【００９７】
また、第２の放熱穴層９０１ においては、通過阻害部材として、第２の放熱穴９３１の周囲から上に延びる筒状部材９４１が設けられている。筒状部材９４１は、放熱穴層９０１と一体成型してもよい。なお、図１３には放熱穴９３１が１カ所のみ示されているが、第２の放熱穴層９０１に設けられたすべての放熱穴９３１について通過阻害部材が存在していることが好ましい。
【００９８】
また、第１の放熱穴層８０１および第２の放熱穴層９０１と平行であって筒状部材９４１の最頂部を通る平面を想定した場合、第１の放熱穴層８０１における筒状部材８４１の最下部は、その平面よりも下になるような位置関係で、筒状部材８４１，９４１が形成されている。すなわち、筒状部材８４１，９４１の端部（筒状部材９４１の最頂部、筒状部材８４１の最下部）は、垂線方向（主基板３１および放熱穴層９０１に対して）でオーバーラップしている。換言すれば、筒状部材８４１，９４１の高さ（延設された部材の長さ）の和は、第１の放熱穴層８０１の上面８１０と放熱穴層９０１との間の長さよりも大きい。
【００９９】
そのような位置関係にあれば、仮に、細線等の不正部材が放熱穴８３１を通過できたとしても、放熱穴層９０１における放熱穴９３１の方に不正部材を向かわせることは困難である。従って、本実施の形態では、筒状部材８４２と蓋部８４３とによって不正部材を放熱穴８３１に挿入させることが困難だけでなく、放熱穴層９０１における放熱穴９３１に通過させることがより困難になる。その結果、不正部材を主基板３１ に到達させることがより困難になる。なお、筒状部材８４２と蓋部８４３に代えて、直立する２つの壁（一方の高さは他方よりも低い）と高い方の壁から水平に延びる屋根形状の部材を設けてもよい。また、基板ボックス１００の表面を正面視したときに放熱穴９３１と重複するような蓋状部材を、放熱穴層９０１において設けてもよい。
【０１００】
次に、この実施の形態により得られる主な効果を説明する。
【０１０１】
図７に示されるように、主基板ボックス３５０のカバー体が、回路領域カバー体４１０と、コネクタ領域カバー体４０８，４０９とに別体に設けられる。そして、回路領域カバー体４１０が、電子部品実装領域を覆う態様でボックス状主体３９０に対して固着されるとともに、コネクタ領域カバー体４０８，４０９が開口部穴４０８ａ，４０８ｂ，４０８ｄ，４０９ｅ〜４０９ｉからコネクタ３５１ａ，３５１ｂ，３５１ｄ，３５１ｅ〜３５１ｉを露出させ、かつ、コネクタ実装領域の配線パターンを覆う態様でボックス状主体３９０に対して固着される。このため、回路領域カバー体４１０の着脱の際にコネクタ３５１ａ，３５１ｂ，３５１ｄ，３５１ｅ〜３５１ｉおよびコネクタ領域カバー体４０８，４０９が邪魔にならないので、ボックス状主体３９０と回路領域カバー体４１０とを係合させる構造の自由度を向上させることができる。
【０１０２】
また、図７に示されるように、回路領域カバー体４１０とボックス状主体３９０とのうち、いずれか一方には、互いに摺動可能な態様で係合するための摺動凸部７０１が設けられ、他方には、摺動凸部７０１と係合する摺動凹部７００が設けられるので、回路領域カバー体４１０とボックス状主体３９０とが互いに摺動可能な態様で係合することとなり、不正行為者が回路領域カバー体を開くことを困難化することができる。
【０１０３】
また、図６および図７に示されるように、取付台４５０が、主基板ボックス３５０が取付けられた状態において回路領域カバー体４１０に当接して回路領域カバー体４１０の摺動を阻止する摺動阻止部としての補強片４５２，４５４を有するので、主基板ボックス３５０が取付台４５０に取付けられた状態で不正行為者が回路領域カバー体４１０を開くことを困難化することができる。このため、パチンコ遊技機１が設けられた遊技場の営業中において不正行為者により容易に回路領域カバー体４１０が開かれることを防止できる。
【０１０４】
また、図１２に示されるように、コネクタ領域カバー体４０８，４０９が、回路領域カバー体４１０を係止する係止部としての第２の封止壁４０８ｆ等を有し、コネクタ領域カバー体４０８，４０９の固着が解除されない限り第２の封止壁により回路領域カバー体４１０の位置が規制されるので、不正行為者が回路領域カバー体４１０を開くことを一層困難化することができる。
【０１０５】
また、図１２に示されるように、ネクタカバー体４０８，４０９および回路領域カバー体４１０の一部をオーバーラップさせたカバー体間封止部としての回路領域カバー体４１０の側壁板４１１、コネクタ領域カバー体４０８の第２の封止壁４０８ｆ、コネクタ領域カバー体４０９の第２の封止壁によりコネクタ領域カバー体４０８，４０９と回路領域カバー体４１０との隙間が封止されるので、これらの隙間から不正行為者が主基板ボックス３５０内に異物を挿入するのを防ぐことができる。
【０１０６】
また、図１２に示されるように、コネクタ領域カバー体４０８，４０９およびボックス状主体３９０の一部をオーバーラップさせたカバー体基体間封止部としてのコネクタ領域カバー体４０８の第１の封止壁４０８ｅ、コネクタ領域カバー体４０９の第１の封止壁、ボックス状主体３９０の側壁３９０ａによりコネクタ領域カバー体４０８，４０９とボックス状主体３９０基との隙間が封止されるので、これらの隙間から不正行為者が主基板ボックス３５０内に異物を挿入するのを防ぐことができる。
【０１０７】
放熱穴領域が、第１の放熱穴層８０１と第２の放熱穴層９０１とに２層化され、第１の放熱穴層８０１と第２の放熱穴層９０１とが、回路領域カバー体４１０表面を正面視したときに第１の放熱穴８３１と第２の放熱穴９３１とが重なり合わない態様で設けられているので、放熱穴から不正行為者が主基板ボックス３５０内に異物を挿入するのを防ぐことができる。
【０１０８】
次に、以上に説明した本実施の形態の変形例や特徴点を以下に列挙する。
【０１０９】
（１）  前述した実施の形態においては、主基板３１をボックス状主体３９０側に取付ける例を示した。しかし、これに限らず、主基板３１を回路領域カバー体４１０側に取付けるようにしてもよい。
【０１１０】
（２）  前述した実施の形態に示した主基板ボックス３５０の構成は、主基板３１を収容する基板ボックスに限られず、払出制御基板３７等のその他の制御基板を収容する基板ボックスに適用してもよい。
【０１１１】
（３）  前述した実施の形態においては、固着手段としてワンウェイネジを例示して説明した。しかし、これに限らず、固着手段としては、固着を解除したときに解除跡が残る固着手段であれば、その他の固着手段、例えば、リベット締め、破断ネジ、溶着、接着等でも良い。また、係合部や固着部の数も実施形態に限定されるものではなく、単数でも複数でも良い。ただし、係合部をなるべく複数設け、固着部を少なくした方が組付け作業の簡略化を図ることができる上で望ましい。
【０１１２】
（４）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【０１１３】
【図１】遊技機の一例としてのパチンコ遊技機を正面からみた正面図である。
【図２】パチンコ遊技機の裏面に設けられている各基板を示す説明図である。
【図３】パチンコ遊技機の機構板を背面からみた背面図である。
【図４】主基板における回路構成の一例を示すブロック図である。
【図５】主基板におけるＣＰＵ周りの一構成例を示すブロック図である。
【図６】機構板の下部構成部の背面から見て左側部分に取付けられる電源基板ボックス及び主基板ボックスの取付状態を示す斜視図である。
【図７】主基板ボックスの分解斜視図である。
【図８】主基板ボックスを構成するボックス状主体とカバー体とを固着する構造を示す平面図（Ａ），（Ｂ），（Ｄ）および断面図（Ｃ）である。
【図９】ワンウェイネジの構造およびワンウェイネジを締着するための特殊マイナスドライバーの構造を説明するための説明図である。
【図１０】主基板ボックスを示す正面図である。
【図１１】主基板ボックスを固定片部および取付片部の側から見た平面図である。
【図１２】主基板ボックスのコネクタ領域カバー体を示す縦断面図である。
【図１３】回路領域カバー体に設けられた放熱穴領域の構成を示す断面図である。
【符号の説明】
【０１１４】
１  パチンコ遊技機、３５１ａ，３５１ｂ，３５１ｄ，３５１ｅ〜３５１  コネクタ、３１  主基板、３５０  主基板ボックス、４２７  ワンウェイネジ、４１８ａ，４１８ｂ〜４２１ａ，４２１ｂ、６０１ａ，６０１ｂ〜６０４ａ，６０４ｂ  固定片部、３９６ａ，３９６ｂ〜３９９ａ，３９９ｂ、５０１ａ，５０１ｂ〜５０４ａ，５０４ｂ  取付片部、３９０  ボックス状主体、４１０  回路領域カバー体、４０８，４０９  コネクタ領域カバー体、４０８ａ，４０８ｂ，４０８ｄ，４０９ｅ〜４０９ｉ  開口部穴、７０１  摺動凸部、７００  摺動凹部４５０  取付台、４５２，４５４  補強片、４０８ｆ  第２の封止壁、４１１  側壁板、４０８ｅ  第１の封止壁、３９０ａ  側壁、４１４  放熱穴領域、８３１，９３１  放熱穴、８０１，９０１  放熱穴層。  
【図１】
2005296267.tif 000003
【図２】
2005296267.tif 000004
【図３】
2005296267.tif 000005
【図４】
2005296267.tif 000006
【図５】
2005296267.tif 000007
【図６】
2005296267.tif 000008
【図７】
2005296267.tif 000009
【図８】
2005296267.tif 000010
【図９】
2005296267.tif 000011
【図１０】
2005296267.tif 000012
【図１１】
2005296267.tif 000013
【図１２】
2005296267.tif 000014
【図１３】
2005296267.tif 000015